(57)【要約】【課題】皮膚や下着等の臭いをピンポイントで消臭でき、皮膚に触れても傷つけることがない珪藻土消臭粘着パッドを提供する。【解決手段】珪藻土消臭粘着パッド１は、片面を粘着面３とする粘着テープ２と、粘着テープ２の粘着面３に設けた珪藻土を含む消臭体４と、を有し、消臭体４は不織布、コットン繊維等の繊維に粉末状の珪藻土を絡ませて円盤形状に形成されていて、ピンポイントで皮膚上の臭い源に消臭体４の先端面があてがわれ、消臭する。【選択図】図１
0003223265.tif 000002
【実用新案登録請求の範囲】
【請求項１】
片面を粘着面とする粘着テープと、前記粘着テープの粘着面に設けた珪藻土を含む消臭体と、を有することを特徴とする珪藻土消臭粘着パッド。
【請求項２】
請求項１に記載の珪藻土消臭粘着パッドにおいて、
前記消臭体は、不織布、コットン繊維等の繊維に粉末状の珪藻土を絡ませて円盤または多角形体に形成したことを特徴とする珪藻土消臭粘着パッド。
【請求項３】
請求項１または２に記載の珪藻土消臭粘着パッドにおいて、
前記消臭体は、さらに珪藻土以外の他の脱臭剤、防臭剤を芯材として前記珪藻土を付着させた複合材、または香水を多孔体に含浸させたものを芯材として前記珪藻土を付着させた複合材を繊維に絡ませた構成としたことを特徴とする珪藻土消臭粘着パッド。
【請求項４】
請求項１から３のいずれかに記載の珪藻土消臭粘着パッドにおいて、
前記粘着テープの粘着面には剥離紙が貼り付けられていることを特徴とする珪藻土消臭粘着パッド。
【請求項５】
請求項４に記載の珪藻土消臭粘着パッドにおいて、
前記剥離紙には複数の珪藻土消臭粘着パッドが貼り付けられていることを特徴とする珪藻土消臭粘着パッド。
【考案の詳細な説明】
【技術分野】
【０００１】
本考案は、皮膚等に貼り付けてピンポイントで消臭対策が行える珪藻土を用いた消臭粘着パッドに関する。
【背景技術】
【０００２】
珪藻土を消臭材として利用した消臭シートが提案されている（特許文献１）。特許文献１に開示の消臭シートは、シート状の基材と、前記基材の表面に珪藻土とイオン交換性物質を水性合成樹脂エマルジョンの硬化で接合すると共に基材の表面に接合される表面層とにより構成し、基材は表面層の強度を確保したシート状の部材としている。この消臭シートは、ペット用トイレ、鞄、履物、靴の中敷、ごみ箱等消臭シートが破れ、切断されるような場所で使用される。このため、珪藻土やイオン交換性物質の飛散を抑制できるようにしている。
【先行技術文献】
【特許文献】
【０００３】
【特許文献１】実用新案登録第３２１６４９２号公報
【考案の概要】
【考案が解決しようとする課題】
【０００４】
特許文献１に開示の消臭シートは、ペット用トイレに載置し、鞄の中に入れ、履物等に入れて使用されるため、人体等の皮膚や下着等の臭いをピンポイントで消臭するのには適していない。また、珪藻土とイオン交換性物質とを水性合成樹脂エマルジョンの硬化で接合した態様の表面層は硬いので、直接皮膚に触れると皮膚が傷つくおそれがある。
【０００５】
本考案の目的は、皮膚や下着等の臭いをピンポイントで消臭でき、皮膚に触れても傷つけることがない珪藻土消臭粘着パッドを提供することにある。
【課題を解決するための手段】
【０００６】
〔考案１〕  本考案の目的を達成するために、考案１の珪藻土消臭粘着パッドは、片面を粘着面とする粘着テープと、前記粘着テープの粘着面に設けた珪藻土を含む消臭体と、を有する構成とした。
【０００７】
〔考案２〕  本考案の目的を達成するために、考案２の珪藻土消臭粘着パッドは、考案１の珪藻土消臭粘着パッドにおいて、前記消臭体は、不織布、コットン繊維等の繊維に粉末状の珪藻土を絡ませて円盤または多角形体に形成した構成とすることができる。
【０００８】
〔考案３〕  本考案の目的を達成するために、考案３の珪藻土消臭粘着パッドは、考案１または２の珪藻土消臭粘着パッドにおいて、前記消臭体は、さらに珪藻土以外の他の脱臭剤、防臭剤を芯材として前記珪藻土を付着させた複合材、または香水を多孔体に含浸させたものを芯材として前記珪藻土を付着させた複合材を繊維に絡ませた構成とすることができる。
【０００９】
〔考案４〕  本考案の目的を達成するために、考案４の珪藻土消臭粘着パッドは、考案１から３のいずれかの珪藻土消臭粘着パッドにおいて、前記粘着テープの粘着面には剥離紙が貼り付けられた構成とすることができる。
【００１０】
〔考案５〕  本考案の目的を達成するために、考案５の珪藻土消臭粘着パッドは、考案４の珪藻土消臭粘着パッドにおいて、前記剥離紙には複数の珪藻土消臭粘着パッドが貼り付けられた構成とすることができる。
【考案の効果】
【００１１】
考案１の珪藻土消臭粘着パッドによれば、皮膚を傷つけることなく皮膚や衣服に付着した臭い源の臭いをピンポイントで消臭することができる。
【００１２】
また、考案２の珪藻土消臭粘着パッドによれば、消臭体の先端面を柔らかくすることができる。
【００１３】
また、考案３の珪藻土消臭粘着パッドによれば、より一層消臭、防臭が可能となり、また香水の香りを漂わせることができる。
【００１４】
また、考案４の珪藻土消臭粘着パッドによれば、携帯が容易であり、消臭体の機能の低下を防ぐことができる。
【００１５】
また、考案５の珪藻土消臭粘着パッドによれば、一度に複数の珪藻土消臭パッドの利用にする際に便利となる。
【図面の簡単な説明】
【００１６】
【図１】本考案による珪藻土消臭粘着パッドの実施形態を示す斜視図である。
【図２】（ａ）は図１に示す珪藻土消臭粘着パッドに剥離紙を貼り付けた状態を示す上面図、（ｂ）は（ａ）のＡＡ矢視図である。
【図３】図１に示す珪藻土消臭粘着パッドを剥離紙に複数配置した消臭パッドシートの正面図である。
【考案を実施するための形態】
【００１７】
以下、本考案を図面に示す実施形態に基づいて説明する。
図１、図２において、珪藻土消臭粘着パッド（以下、消臭パッドと略す）１は、非通気性フィルム等のフィルム状の粘着テープ２と、粘着テープ２の片面側を粘着面３とし、粘着面３に接合された珪藻土入りの消臭体４を有している。消臭パッド１は、消臭体４の上面を人体の皮膚にあてがい、粘着面３を皮膚に貼り付けて使用される。
【００１８】
消臭体４は、不織布、コットン繊維等の繊維に粉末状の珪藻土を絡ませて円盤形状に成形されていて、柔らかい表面を有する。珪藻土は、消臭性、吸水性等に優れた特性を有する。例えば、外出先で腕の皮膚の一部に臭いが付着した場合や衣服に付着した場合、臭いの元を洗い落とすことが難しくても、そこに消臭パッド１を貼り付けピンポイントに消臭を行うことができる。消臭パッド１は、使用前の状態において、剥離紙５が粘着面３側に貼り付けられている。また、消臭体４は柔らかい表面を有するため、直接人体の皮膚にあてがわれても傷つくことはない。
【００１９】
図１および図２に示すように、消臭体４の厚みを薄手に形成し、消臭パッド１を皮膚に貼り付けた際、衣服を着用しても目立たないようにしている。
【００２０】
また、剥離紙５を粘着面に貼り付けることにより、携帯が容易であり、消臭体４の機能の低下を防ぐことができる。
【００２１】
消臭体４は、臭い源から揮発した気体成分が多孔体である珪藻土の孔内に入り込んで吸着される。消臭体４が吸着した臭気が外部に放散する量は僅かであるため、粘着テープ２が通気性を有していても良いが、非通気性のフィルム部材で構成することにより、皮膚上の臭い源を覆って臭い成分の拡散を防止する。
【００２２】
なお、消臭パッド１は、衣服や下着に貼り付けて使用することもできる。
消臭体の他の構成
消臭体４は、繊維に珪藻土を絡ませた構成だけでなく、活性炭等の珪藻土以外の他の脱臭剤、防臭剤を芯材として珪藻土を付着させた複合材を繊維に絡ませた構成とすることができる。また、香水をシリカ等の多孔体に含浸させたものを芯材として珪藻土を付着させた複合材を繊維に絡ませた構成とすることもできる。
【００２３】
また、消臭体４は、繊維に珪藻土、または上記した複合材を絡ませた構成だけでなく、珪藻土を水練りし、高温で焼成して円盤形状に形成した構成とすることができる。さらに、消臭体４は、珪藻土を加圧成型により円盤形状とすることができる。
【００２４】
珪藻土と珪藻土以外の他の脱臭剤、防臭剤を芯材として珪藻土を付着させた複合材を用いることより一層消臭、防臭が可能となり、また香水をシリカ等の多孔体に含浸させたものを芯材として珪藻土を付着させた複合材を用いることにより、香水の香りを漂わせることができる。
【００２５】
他の実施形態
図３は、図１に示す消臭パッド１を１枚の大サイズの剥離紙６に複数個貼り付けた消臭パッドシート１０の構成を示す。本実施形態の消臭パッドシート１０によれば、消臭パッド１を一度に複数個所に貼り付ける場合等に使いやすい。なお、消臭パッド１を剥離紙６に３×３個貼り付けているが、これに限定されるものではなく、例えば細長い剥離紙に複数個の消臭パッド１を一列に貼り付けてロール状に巻いた構成としても良い。
【００２６】
また、図３では同一サイズの消臭パッド１を剥離紙６に貼り付けているが、消臭体４のサイズ（直径）を大サイズ、中サイズ、小サイズを一組とした構成としても良い。さらに、消臭体４は、円盤形状だけではなく四角形等の多角形体形状に形成しても良い。
【符号の説明】
【００２７】
１…珪藻土消臭粘着パッド（消臭パッド）
２…粘着テープ
３…粘着面
４…消臭体
５、６…剥離紙
１０…消臭パッドシート
【図１】
0003223265.tif 000003
【図２】
0003223265.tif 000004
【図３】
0003223265.tif 000005